Podtech/llm-jp-corpus-v4-ja_patent huggingface dataset:
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
少なくとも１つのアミンポリマーを含有してなる、血清グルコースの減少を必要とする患者における血清グルコースの減少用組成物。
【請求項２】
アミンポリマーが脂肪族である請求項１記載の組成物。
【請求項３】
グルコースに結合するポリマーが、アミン、シアノ、オレフィン、ホスフィン、アルシン、スルフィド、ジチオカルバメート、ニトレート、カルボキシレート、フェノラート、アセチルアセトネート、および水酸基からなる群より選ばれる置換基を有する請求項１記載の組成物。
【請求項４】
前記ポリマーが、
【化１】
2004535384.tif 000001
【化２】
2004535384.tif 000002
【化３】
2004535384.tif 000003
【化４】
2004535384.tif 000004
式中、ｎは正の整数であり、ｙおよびｚは１以上の整数であり、R 、R1、R2およびR3が独立して、Ｈまたは置換もしくは非置換のアルキル基である、
からなる群より選ばれる式を有する繰り返し単位ならびにその塩およびコポリマーにより特徴づけられる請求項１記載の組成物。
【請求項５】
前記ポリマーが多官能性架橋剤により架橋される請求項４記載の組成物。
【請求項６】
多官能性架橋剤が、モノマーおよび架橋剤の合わせた重量に基づいて約0.5 〜25重量％の量で存在する請求項５記載の組成物。
【請求項７】
多官能性架橋剤が、モノマーおよび架橋剤の合わせた重量に基づいて約2.5 〜20重量％の量で存在する請求項５記載の組成物。
【請求項８】
前記架橋剤がエピクロロヒドリンを含む請求項５記載の組成物。
【請求項９】
前記ポリマーがホモポリマーである請求項５記載の組成物。
【請求項１０】
前記ポリマーがポリアリルアミンである請求項５記載の組成物。
【請求項１１】
前記ポリマーがポリジアリルアミンである請求項５記載の組成物。
【請求項１２】
前記ポリマーがポリエチレンアミンである請求項５記載の組成物。
【請求項１３】
前記ポリマーがポリビニルアミンである請求項８記載の組成物。
【請求項１４】
各式のR 、R1、R2およびR3の少なくとも１つが水素である請求項５記載の組成物。
【請求項１５】
ポリマーが１つ以上の食事とともに投与される請求項５記載の組成物。
【請求項１６】
グルコースに結合するポリマーが約1 μg/kg/ 日〜約1g/kg/日を含む投薬で胃腸管に投与される請求項５記載の組成物。
【請求項１７】
アミンポリマーが１日あたり約3g〜約6gを含む投薬で胃腸管に投与される請求項５記載の組成物。
【請求項１８】
セベラマー塩化水素を含有してなる、血清グルコースの減少を必要とする患者における血清グルコースの減少用組成物。
【請求項１９】
コレセベラムを含有してなる、血清グルコースの減少を必要とする患者における血清グルコースの減少用組成物。
【請求項２０】
血清グルコースの減少を必要とする個体における血清グルコースの減少用医薬の製造のための少なくとも１つのアミンポリマーの使用。
【手続補正書】
【提出日】平成17年4月14日(2005.4.14)
【手続補正１】
【補正対象書類名】特許請求の範囲
【補正対象項目名】請求項６
【補正方法】変更
【補正の内容】
【請求項６】
第２周波数範囲の少なくとも一部が、第１周波数範囲から成る周波数よりも高い周波数を含むことを特徴とする請求項１〜５のいずれか１項に記載の方法。
【手続補正２】
【補正対象書類名】明細書
【補正対象項目名】０００２
【補正方法】変更
【補正の内容】
【０００２】
曲線路内の以下では総称で車輪ユニットによって示す車輪対又は一組の車輪をほぼ静的に調節する一連の機械装置が公知である。これらの機械装置は、受動的な手段又は能動的な手段を有する。アクティブ制御の場合、車輪ユニットは、曲率半径にしたがって合わせられて保持される。これらの装置は、車輪ユニットを曲線路に対して一定の関係で操縦し、シャーシ又は車両の車輪ユニットに作用する最大で限定した領域に対する横方向の力の和を均等にする。この場合、走行安定性が、車輪ユニットを長手方向に一定に制御する従来の車輪のときよりも良好でない点が欠点である；一番うまくいった場合でも、特性が低下する。走行信頼性を保証するためには、機械的な装置、例えば横揺れ止めダンパ(Schlingerdaempfer) 又は摩擦回転止め部材(Reibungs-Drehhemmungen)も必要になる。これらの機械的な装置は、湾曲部分の良好な走行と走行安定性との間の妥協にすぎず、一般にボデー(Wagenkasten) 内の構造振動を助長する。多くの場合、追加のダンパ要素が、車輪ユニットの連結部内で必要である。
【手続補正３】
【補正対象書類名】明細書
【補正対象項目名】００１３
【補正方法】変更
【補正の内容】
【００１３】
換言すれば、簡単な調節駆動部として構成され得る調節装置は、制御装置の基準値に応じて調節して力を発生させる。その結果、車輪ユニット、すなわち車輪対又は一組の車輪が、垂直軸周りに回転する。そして追加的に又は選択的に、車輪ユニットが、横方向に並進する。調節装置が、通過すべき区間、例えば曲線路の曲率半径に応じてほぼ静的に調節して応力を発生させ、曲線走行時でも直線走行時でも車両の走行を安定化させる一般により高い別の周波数で調節と応力を重畳するように、この調節装置、すなわち例えば調節駆動部は構成されている。この場合、車両の多数の、特に全ての車輪ユニットが本発明の半径方向の制御によって制御されるときに、横方向の力を特に良好に調節することができ、そして特に効果的に安定化させることができる。
【手続補正４】
【補正対象書類名】明細書
【補正対象項目名】００２２
【補正方法】変更
【補正の内容】
【００２２】
したがって、本発明の解決手段は、例えば横揺れ止めダンパや摩擦回転止め部材のような走行状況用の車両とボデーとの間の機械的な安定化装置を省略できる。車輪ユニットの連結部内の、特に連結ロッド内の減衰要素も省略できる。さらに、始動角度（Anlaufwinkel）、すなわち走行負荷の減少及び車輪とレールの磨耗の減少又は最適化が利点である。高い速度でも、車両の安定な走行が全ての速度範囲にわたって実現される。連結ロッドが車輪ユニット間及びボデーに対して存在しないために、より簡単な機械的構造に加えて、これらの連結要素による衝撃音及び振動が伝達しない。
【手続補正５】
【補正対象書類名】明細書
【補正対象項目名】００３５
【補正方法】変更
【補正の内容】
【００３５】
図１は、軌条車両用の３軸シャーシ１、例えば３軸台車又はボデーに装着されて連結された一組の車輪若しくは車輪対の形態の３つの車輪ユニットを示す。この３軸シャーシ１は、図中に示さなかった縦ビームと横ビームとから構成されている台車シャーシ又はボデーシャーシを有する。３つの車輪ユニット８，９，１０の車輪軸受ハウジング２〜７が、図示しなかったバネ要素を介して縦ビームに固定されている。つまり、第１車輪ユニット８（外輪）用の車輪軸受ハウジング２，３，第２車輪ユニット９（中輪）用の車輪軸受ハウジング４，５及び第３車輪ユニット１０（外輪ユニット）用の車輪軸受ハウジング６，７が、図示しなかったバネ要素を介して縦ビームに固定されている。これらの車輪ユニット８，９，１０は、複数の車輪１１を有する。これらの車輪ユニット８，９，１０は、図示しなかった駆動モータ、例えばサスペンションモータ又はかご形モータによって駆動され得る。
【手続補正６】
【補正対象書類名】明細書
【補正対象項目名】００３６
【補正方法】変更
【補正の内容】
【００３６】
両外輪ユニット８，１０の車輪軸受ハウジング２，３，６，７は、特に軌条車両の走行方向に又は走行方向に対して逆の方向に可動である。このことは、方向矢印ｘ１，ｘ２によって示されている。中輪ユニット９の車輪軸受ハウジング４，５は、特に軌条車両の走行方向に対して垂直に可動である。このことは、方向矢印ｙ１，ｙ２によって示されている。
【手続補正７】
【補正対象書類名】明細書
【補正対象項目名】００３７
【補正方法】変更
【補正の内容】
【００３７】
車輪軸受ハウジング２，３，４，５，６，７はそれぞれ、同一のシャーシの側方上だけでステアリングロッド回転レバー構成を介して連結されている。
傾斜したステアリングロッド１２が、直角レバー１４のステアリングジョイント１３と車輪軸受ハウジング３のステアリングジョイント１５との間に配置されている。
【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
ステープルされて小冊子が形成されるシート（２００）を受け取る、シート受取り部材（１０２）と、
前記シート受取り部材（１０２）上にほぼ一列に配列された複数の能動クリンチ・ユニット（１０６）と、
前記複数の能動クリンチ・ユニット（１０６）のそれぞれに対してステープルを送り出し可能に構成された１つの可動のステープラ・ヘッド（１０４）とを備えることを特徴とするステープル綴じ装置。
【請求項２】
前記ステープラ・ヘッド（１０４）と前記クリンチ・ユニット（１０６）とを、同期させて作動させるコントローラ（１１８）をさらに備えることを特徴とする請求項１に記載のステープル綴じ装置。
【請求項３】
前記ステープラ・ヘッド（７０４）および前記複数の能動クリンチ・ユニット（７０６）が、共通のクリンチ・モータ（７０５）によって動作するように構成されることを特徴とする請求項１に記載のステープル綴じ装置。
【請求項４】
前記複数の能動クリンチ・ユニット（１０６）が、共通のクリンチ・モータ（１１２）によって動作するように構成されることを特徴とする請求項１に記載のステープル綴じ装置。
【請求項５】
前記複数の能動クリンチ・ユニット（１０６）が、同時に動作するように構成されることを特徴とする請求項４に記載のステープル綴じ装置。
【請求項６】
前記シート受取り部材（１０２）が、折られたシート（２００）を受け取る、背（１１６）を有するサドルであり、また、前記ステープラ・ヘッド（１０４）が、前記シートを受け取るサドルの前記背（１１６）にほぼ平行な直線に沿って移動できるように構成されることを特徴とする請求項１に記載のステープル綴じ装置。
【請求項７】
前記ステープラ・ヘッド（１０４）が、前記シートを受け取るサドル（１０２）の前記背（１１６）に平行に配設された少なくとも一本のレール（１１４）に沿って移動可能に構成されることを特徴とする請求項６に記載のステープル綴じ装置。
【請求項８】
前記複数の能動クリンチ・ユニット（１０６）がそれぞれ、クリンチ板（５１２）を回転させる可動押し棒（５０６）を具備することを特徴とする請求項１に記載のステープル綴じ装置。
【請求項９】
前記押し棒（５０６）が、クリンチ・モータ（１１２）の駆動軸（５０２）上に取り付けられたクリンチ・カム（５０４）により作動するように構成されることを特徴とする請求項８に記載のステープル綴じ装置。
【請求項１０】
前記押し棒（５０６）が、前記押し棒を初期位置に戻す戻しばね（５１６）を備えていることを特徴とする請求項９に記載のステープル綴じ装置。
【手続補正書】
【提出日】平成16年3月18日(2004.3.18)
【手続補正１】
【補正対象書類名】特許請求の範囲
【補正対象項目名】全文
【補正方法】変更
【補正の内容】
【特許請求の範囲】
【請求項１】
結晶性基体をマイクロマシニングするための方法であって、
結晶性基体を提供し；
基体にエッチングストップピットを指向性エッチングし；
エッチングストップピットを、基体について選択された異方性湿式エッチング液に耐性のあるマスク物質でコンフォーマルに被覆し；さらに
エッチングストップピットに近接するエリアを、選択されたエッチング液で異方性湿式エッチングし、基体表面に異方性構造を提供する
ことを含む方法。
【請求項２】
湿式にエッチングされたエリアが、選択されたマスク部分と隣接する、請求項１に記載の方法。
【請求項３】
指向性エッチングする工程が、プラズマエッチング、反応性イオンエッチング、イオンミリングの少なくとも１つを包含する請求項１または２に記載の方法。
【請求項４】
湿式エッチングする工程が、ＴＭＡＨ、ＫＯＨ、またはＥＤＰの少なくとも１つでエッチングすることを包含する請求項１から３のいずれか１項に記載の方法。
【請求項５】
基体が単結晶シリコンを含む請求項１から４のいずれか１項に記載の方法。
【請求項６】
マスク物質が基体物質の酸化物および窒化物の少なくとも１つを含む請求項１から５のいずれか１項に記載の方法。
【請求項７】
コンフォーマルに被覆する工程が、エッチングストップピットの表面を熱的に酸化させることを含む請求項１から６のいずれか１項に記載の方法。
【請求項８】
さらにマスク物質を除去することを含む請求項１から７のいずれか１項に記載の方法。
【請求項９】
マイクロマシニングされた結晶性基体であって、
基体に施された、端を含む第一異方性エッチング溝；および
第一側壁部を含む指向性エッチングされたエッチングストップピットであって、
第一側壁部は、溝の長軸に対して非直角で溝の端と交差し、溝の楔型端部分の少なくとも一部が形成されないようにするもの、
を含む結晶性基体。
【請求項１０】
エッチングストップピットが溝内に伸びる、請求項９に記載のマイクロマシニングされた結晶性基体。
【請求項１１】
エッチングストップピットが垂直な側壁を含む請求項９または１０に記載のマイクロマシニングされた結晶性基体。
【請求項１２】
エッチングストップピットが三角形の横断面の形状を含む請求項９から１１のいずれか１項に記載のマイクロマシニングされた結晶性基体。
【請求項１３】
基体が単結晶シリコンを含む請求項９から１２のいずれか１項に記載のマイクロマシニングされた結晶性基体。
【請求項１４】
溝がＶ溝を含む請求項９から１３のいずれか１項に記載のマイクロマシニングされた結晶性基体。
【請求項１５】
基体に施された、第二異方性エッチング溝を含む請求項９から１４のいずれか１項に記載のマイクロマシニングされた結晶性基体であって、
エッチングストップピットが第一溝および第二溝の間に配置され、エッチングストップピットが第二側壁部を含み、ここで第二側壁部は、第二溝の長軸に対して非直角で第二溝端部分と交差し、第二溝の楔型端部分の少なくとも一部が形成されない、マイクロマシニングされた結晶性基体。
【請求項１６】
マイクロマシニングされた結晶性基体であって、
基体に配置された第一異方性エッチング溝；
基体中の第二異方性エッチング溝であって、第一溝と交差して凸角部を提供する第二異方性エッチング溝；および
凸角部に配置された、指向性エッチングされたエッチングストップピット
を含む前記マイクロマシニングされた結晶性基体。
【請求項１７】
基体中の異方性エッチングピット、およびＵ字型部分を含むエッチングストップピットを含むマイクロマシニングされた結晶性基体であって、該エッチングストップピットが湿式ピットと交差する、前記結晶性基体。
【請求項１８】
基体中の異方性エッチング溝；
前記溝中に配置された、指向性エッチングされたエッチングストップピット；および
前記溝内で、前記エッチングストップピットに隣接して配置された楔型突起を含む、マイクロマシニングされた結晶性基体。
【請求項１９】
異方性エッチングピット、および前記異方性エッチングピットに外接するエッチングストップピットを含む、マイクロマシニングされた結晶性基体。
【手続補正２】
【補正対象書類名】明細書
【補正対象項目名】００３８
【補正方法】変更
【補正の内容】
【００３８】
図２９Ａから２９Ｄを参照して、異方性エッチング構造が形成されて良いＬ字型の領域に外接するＬ字型エッチングストップピット２９６が提供される。Ｌ字型エッチングストップピット２９６の形成によって、図２９Ａおよび２９Ｂに例示されるように｛１１１｝側壁の形成が許容される。代わりに、エッチングストップピットとして他のＬ字型以外の形状が使用されて良い。図３１の平面図に例示されるように、エッチングストップピット３１６は例えば、Ｔ字型横断面を持って良い。Ｔ字型エッチングストップピット３１６によって境界を形成する領域３１１を異方性エッチングするとき、図３２Ａおよび３２Ｂに例示されるように｛１１１｝側壁が形成されて良い。横断面の平面Ｂ−Ｂの近傍に、異方性エッチングされた構造３２４が図３２Ｂに例示されるようにＶ型の断面を持って良い。更なる他の形状は図３３に描写される構成など異方性エッチングされる領域に外接するエッチングストップピットとして、本発明に従って利用されて良い。
【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
フィルム層および布状基材層を有する積層シートの製造方法において、
（ａ）フィルム層を布状基材層に結合して積層シートを形成する際に、該積層シートに、フィルム層と布状基材層との間の結合強度が積層シートの他の領域よりも大きい少なくとも一つの高結合領域を設け、そして
（ｂ）該高結合領域が延伸されないか、あるいは部分的にのみ延伸されるように、噛み合い延伸機を用いて該積層シートを選択的に延伸する
ことを特徴とする積層シートの製造方法。
【請求項２】
フィルム層が、熱可塑性樹脂組成物から形成され、かつ、フィルム層を布状基材層に結合する工程が、該熱可塑性樹脂組成物を布状基材層上に押し出す工程からなる請求項１記載の製造方法。
【請求項３】
積層シートの少なくとも一つの領域を熱結合して、少なくとも一つの高結合領域を形成する工程をさらに有する請求項２記載の製造方法。
【請求項４】
熱結合工程が、音波シーリングまたは熱点結合によって行われる請求項３記載の製造方法。
【請求項５】
積層シートの少なくとも一つの領域を接着結合して、少なくとも一つの高結合領域を形成する工程をさらに有する請求項２記載の製造方法。
【請求項６】
熱可塑性樹脂組成物を布状基材層と一緒にキャストロールニップステーションに押し出し、該キャストロールニップステーションがニップを有する一対のローラを有しており、該ローラの少なくとも一つが凸部を有し、これら凸部に隣接するニップ圧力を高めることにより、高結合領域を形成する請求項２記載の製造方法。
【請求項７】
熱可塑性樹脂組成物が、脂肪酸で表面被覆した炭酸カルシウム４０〜６０重量％、並びに顔料、酸化防止剤および加工助剤などの他の添加剤１〜１０重量％を含有し、残部がポリプロプレン類、ポリエチレン類、機能化ポリオレフィン類またはこれらの組み合わせからなるポリオレフィン系樹脂組成物である請求項２記載の製造方法。
【請求項８】
フィルムの坪量が、約１０から約４０ｇｓｍ、特に好ましくは約２０から約３０ｇｓｍの間である請求項１記載の製造方法。
【請求項９】
布状基材層が、ポリオレフィン系不織布材料である請求項１記載の製造方法。
【請求項１０】
布状基材層が、スパンボンド法ポリプロピレン、スパンボンド法ポリエチレンおよびカーディング処理した熱ボンド法ポリプロピレンからなる群より選ばれるものである請求項９記載の製造方法。
【請求項１１】
布状基材の坪量が、約１０から約３０ｇｓｍ、特に好ましくは約１５から約２５ｇｓｍの間である請求項９記載の製造方法。
【請求項１２】
積層シートの水蒸気透過度が一日当たり約５００ｇ/ｍ２超過で、かつ、水頭が６０ｃｍ超過である請求項１１記載の製造方法。
【請求項１３】
（ａ）フィルム層を布状基材層に結合して積層シートを形成する際に、該積層シートに、フィルム層と布状基材層との間の結合強度が積層シートの他の領域よりも大きい少なくとも一つの高結合領域を設ける工程、および
（ｂ）該高結合領域が延伸されないか、あるいは部分的にのみ延伸されるように、噛み合い延伸機を用いて該積層シートを選択的に延伸する工程
を有するオムツ用バックシートの製造方法。
【請求項１４】
（ａ）ポリマーフィルム、および
（ｂ）該フィルムに結合した布状ウェブ
を有するポリマーフィルムと布状ウェブとの延伸積層体であって、
該積層体が、フィルムと布状ウェブとの間の結合強度が積層シートの他の領域よりも大きい少なくとも一つの高結合領域を有し、
少なくとも一つの高結合領域が、延伸されていないか、あるいは部分的にのみ増分的に延伸されていることを特徴とする増分的及び選択的に延伸された延伸積層体。
【請求項１５】
該フィルムが、微多孔性である請求項１４記載の延伸積層体。
【請求項１６】
該積層体が、機械方向と横断する方向に増分的に延伸されたものである請求項１４記載の延伸積層体。
【請求項１７】
該ポリマーフィルムが、
（ａ）ポリオレフィン、および
（ｂ）孔形成開始剤
を含有するものである請求項１４記載の延伸積層体。
【請求項１８】
該積層体が、噛み合い延伸機を用いて、機械方向と横断する方向に延伸されたものである請求項１４記載の延伸積層体。
【請求項１９】
少なくとも一つの高結合領域が、延伸されていないものである請求項１４記載の延伸積層体。
【手続補正書】
【提出日】平成17年1月31日(2005.1.31)
【手続補正１】
【補正対象書類名】特許請求の範囲
【補正対象項目名】請求項３１
【補正方法】変更
【補正の内容】
【請求項３１】
セルロース、プラスチック、金属、ゴム、木、ナイロン、ガラス、アクリルアミド、アガロース、およびその組み合わせからなる群より選択される固体支持体材料に結合された請求項１〜２９いずれか１つに記載の結合部分を含む組成物。
【手続補正２】
【補正対象書類名】特許請求の範囲
【補正対象項目名】請求項３２
【補正方法】変更
【補正の内容】
【請求項３２】
クロマトグラフマトリクス材料に固定された請求項１〜２９いずれか１つに記載の結合部分を含む組成物。
【手続補正３】
【補正対象書類名】特許請求の範囲
【補正対象項目名】請求項３３
【補正方法】変更
【補正の内容】
【請求項３３】
別の分子と結合体化された請求項１〜２９いずれか１つに記載の結合部分を含む組成物であって、ここで結合体が血清アルブミンを結合する組成物。
【手続補正４】
【補正対象書類名】特許請求の範囲
【補正対象項目名】請求項４２
【補正方法】変更
【補正の内容】
【請求項４２】
（ｄ）前記支持体から血清アルブミンを溶離、回収する工程
をさらに含む、請求項４０または４１記載の方法。
【手続補正５】
【補正対象書類名】特許請求の範囲
【補正対象項目名】請求項４３
【補正方法】変更
【補正の内容】
【請求項４３】
溶液がトランスジェニックニワトリ卵白、組み換え真核または原核細胞抽出物、および全血からなる群より選択される、請求項４０〜４２いずれか１つに記載の方法。
【手続補正６】
【補正対象書類名】特許請求の範囲
【補正対象項目名】請求項４７
【補正方法】変更
【補正の内容】
【請求項４７】
検出可能に標識された請求項１〜２９いずれか１つに記載の血清アルブミン結合部分を含有してなる、被験体の血液循環を評価する方法において使用するための組成物であって、該方法が：
(a)被験体の循環系に該組成物を導入すること、および
(b)被験体において該組成物を検出すること
を含む、組成物。
【手続補正７】
【補正対象書類名】特許請求の範囲
【補正対象項目名】請求項４８
【補正方法】変更
【補正の内容】
【請求項４８】
前記組成物が前記検出可能に標識された血清アルブミン結合部分と血清アルブミンとの複合体から本質的になる、請求項４７記載の組成物。
【手続補正８】
【補正対象書類名】特許請求の範囲
【補正対象項目名】請求項４９
【補正方法】変更
【補正の内容】
【請求項４９】
前記組成物の血清アルブミン結合部分が磁気共鳴画像化剤で検出可能に標識されている、請求項４７または４８記載の組成物。
【手続補正９】
【補正対象書類名】特許請求の範囲
【補正対象項目名】請求項５０
【補正方法】変更
【補正の内容】
【請求項５０】
請求項１〜２９いずれか１つに記載の血清アルブミン結合部分および化合物のコンジュゲートを含有してなる、被験体における化合物の血清半減期を増大する方法において使用するための組成物であって、該方法が：
被験体の循環系に該コンジュゲートを導入することを含む、組成物。
【手続補正１０】
【補正対象書類名】特許請求の範囲
【補正対象項目名】請求項５１
【補正方法】変更
【補正の内容】
【請求項５１】
前記化合物が診断化合物である請求項５０記載の組成物。
【手続補正１１】
【補正対象書類名】特許請求の範囲
【補正対象項目名】請求項５２
【補正方法】変更
【補正の内容】
【請求項５２】
前記化合物が治療化合物である請求項５０記載の組成物。
【手続補正１２】
【補正対象書類名】特許請求の範囲
【補正対象項目名】請求項５３
【補正方法】変更
【補正の内容】
【請求項５３】
前記診断化合物が放射能標識または磁気共鳴画像化剤を含む請求項５１記載の組成物。
【手続補正１３】
【補正対象書類名】特許請求の範囲
【補正対象項目名】請求項５４
【補正方法】変更
【補正の内容】
【請求項５４】
前記治療化合物がトロンビンインヒビター、血栓崩壊剤、レニンインヒビター、ACEインヒビター、セレクチンリガンド、凝固カスケードのインヒビター、補体調節分子、セリンプロテアーゼ、GPIIb/IIIaアンタゴニスト、およびCRFアンタゴニストからなる群より選択される、請求項５２記載の組成物。
【手続補正書】
【提出日】平成15年9月11日(2003.9.11)
【手続補正１】
【補正対象書類名】特許請求の範囲
【補正対象項目名】全文
【補正方法】変更
【補正の内容】
【特許請求の範囲】
【請求項１】
サンプルの高自由エネルギー形態を生成させる方法であって、以下の工程：
サンプルを少なくとも１本の毛管中に配置する工程；
該サンプルを該少なくとも１本の毛管中で凝固させる工程；及び
該サンプルの少なくとも１種の高自由エネルギー形態を単離する工程
を含んでなる方法。
【請求項２】
凝固工程がサンプルを結晶化させることを含んでなる、請求項１記載の方法。
【請求項３】
凝固工程が貧溶媒の使用を含んでなる、請求項１記載の方法。
【請求項４】
凝固工程が、溶媒蒸発、貧溶媒添加、ゲル拡散、及び薄層析出からなる群より選択される、請求項１記載の方法。
【請求項５】
サンプルを少なくとも１種の化合物の過飽和溶液から調製する工程を更に含んでなる、請求項１記載の方法。
【請求項６】
単離された高自由エネルギー形態が毛管内で安定化せしめられる、請求項１記載の方法。
【請求項７】
単離された高自由エネルギー形態が、少なくとも２４時間、毛管内で安定である、請求項６記載の方法。
【請求項８】
高自由エネルギー形態を安定化させる工程を更に含んでなる、請求項１記載の方法。
【請求項９】
安定化工程が、サンプルの高自由エネルギー形態を毛管中に維持することから本質的になる、請求項８記載の方法。
【請求項１０】
視覚分析、顕微鏡分析、熱分析、回折分析、及び分光分析からなる群より選択される方法によって高自由エネルギー形態を同定する工程を更に含んでなる、請求項１記載の方法。
【請求項１１】
サンプルの高自由エネルギー形態を検索する方法であって、以下の工程：
サンプルを毛管中に配置する工程；
該サンプルを該毛管中で凝固させる工程；及び
該サンプルの高自由エネルギー形態が該毛管中に存在しているか否かを測定する工程
を含んでなる方法。
【請求項１２】
サンプルが少なくとも５本の毛管中に配置される、請求項１１記載の方法。
【請求項１３】
サンプルが少なくとも１０本の毛管中に配置される、請求項１１記載の方法。
【請求項１４】
サンプルが少なくとも２セットの毛管中に配置され、少なくとも１セットが少なくとも１つの他のセットと異なっている、請求項１１記載の方法。
【請求項１５】
少なくとも１セットの毛管が、少なくとも１つの他のセットの毛管に比べて、異なる内径を有する、請求項１４記載の方法。
【請求項１６】
サンプルが少なくとも４セットの毛管中に配置され、各セットが、セット内の毛管のサイズ又は表面に関して、他のセットと異なっている、請求項１４記載の方法。
【請求項１７】
少なくとも１本の毛管の内側がある物質で被覆される、請求項１１記載の方法。
【請求項１８】
高自由エネルギー形態が生成したか否かを測定する工程が、視覚分析、顕微鏡分析、熱分析、回折分析、及び分光分析からなる群より選択される分析法を含んでなる、請求項１１記載の方法。
【請求項１９】
高自由エネルギー形態が生成したか否かを測定する工程が本質的に該形態の視覚分析からなる、請求項１８記載の方法。
【請求項２０】
高自由エネルギー形態が生成したか否かを測定する工程が、該生成された形態の相対的自由エネルギーを示すデータを生成すること及び該データを既知の形態に関するデータと比較することを含んでなる、請求項１８記載の方法。
【請求項２１】
高自由エネルギー形態が異なる色を示す、請求項１記載の方法。
【請求項２２】
高自由エネルギー形態を視覚分析により同定することを更に含んでなる、請求項２１記載の方法。
【請求項２３】
顕微鏡分析が電子顕微鏡法である、請求項１０記載の方法。
【請求項２４】
熱分析が融点法である、請求項１０記載の方法。
【請求項２５】
回折分析がＸ線回折法である、請求項１０記載の方法。
【請求項２６】
分光分析が赤外分光法である、請求項１０記載の方法。
【請求項２７】
異なる高自由エネルギー形態が異なる色を示す、請求項１１記載の方法。
【請求項２８】
高自由エネルギー形態を視覚分析により同定することを更に含んでなる、請求項２７記載の方法。
【請求項２９】
顕微鏡分析が電子顕微鏡法である、請求項１８記載の方法。
【請求項３０】
熱分析が融点法である、請求項１８記載の方法。
【請求項３１】
回折分析がＸ線回折法である、請求項１８記載の方法。
【請求項３２】
分光分析が赤外分光法である、請求項１８記載の方法。
【請求項３３】
多形体の高自由エネルギー形態を生成させスクリーニングする方法であって、以下の工程：
サンプルを、化合物、元素、又は混合物の既知の固体形態から調製する工程；
該サンプルを複数の毛管中に配置する工程；
該サンプルを該複数の毛管中で凝固させることによって、複数の生成された固体が提供される工程；
該生成された固体を分析して、該生成された固体の各々の自由エネルギーを測定する工程；及び
該生成された固体の各々の該自由エネルギーを、該既知の固体形態の自由エネルギーと比較する工程
を含んでなる方法。
【請求項３４】
既知の固体形態を分析して自由エネルギーを測定することを更に含んでなる、請求項３３記載の方法。
【請求項３５】
化合物、元素、又は混合物の高自由エネルギー形態を生成させスクリーニングする方法であって、以下の工程：
化合物、元素、又は混合物を含んでなるサンプルを複数の毛管中に配置する工程；
該サンプルを該複数の毛管中で凝固させて、固体形態の分布を生成させる工程；
前記分布内の前記固体形態の各々の発生数を測定する工程；及び
該発生数に基づいて前記固体形態の各々について相対自由エネルギーを付与する工程
を含んでなる方法。
【請求項３６】
複数の毛管が少なくとも５本である、請求項３４記載の方法。
【請求項３７】
複数の毛管が少なくとも１０本である、請求項３６記載の方法。
【請求項３８】
複数の毛管が少なくとも５０本又はそれより多い、請求項３７記載の方法。
【請求項３９】
複数の毛管が少なくとも約１５０本である、請求項３８記載の方法。
【請求項４０】
高自由エネルギー形態が生成したか否かを測定する工程が、固体形態の分布が毛管中で凝固せしめられたか否かを測定することを含んでなる、請求項１１記載の方法。
【請求項４１】
視覚分析、顕微鏡分析、熱分析、回折分析、及び分光分析からなる群から選択される分析方法で１種又はそれより多い高自由エネルギー形態を同定する工程を更に含んでなる、請求項４０記載の方法。
【請求項４２】
異なる高自由エネルギー形態が異なる色を示し、該高自由エネルギー形態を同定する工程が本質的に前記形態の視覚分析からなる、請求項４１記載の方法。
【請求項４３】
高自由エネルギー形態が生成したか否かを測定する工程が熱分析を含んでなる、請求項１１記載の方法。
【手続補正書】
【提出日】平成17年4月20日(2005.4.20)
【手続補正１】
【補正対象書類名】明細書
【補正対象項目名】０００８
【補正方法】変更
【補正の内容】
【０００８】
注入された第ＶＩＩＩ因子活性を中和する同種異系抗体（インヒビター）が出現することによって、第ＶＩＩＩ因子の代償療法が著しく困難になるかもしれない。報告されているインヒビターの血友病患者における発生率には、相当程度のばらつきがある。発生率は６−３５％前後の範囲に分布している（バーミレンら、１９９８）。たとえば大規模な欠失およびイントロン２２の逆位などのような遺伝的素因を有していそうな者は、インヒビターならびにＭＨＣクラスＩ遺伝子およびクラスＩＩ遺伝子として免疫応答に関与する遺伝子が合同して高頻度で見られる（タッデンハムおよびマックベイ、１９９８）。ある第ＶＩＩＩ因子の産物から別の産物に繰り返し切り替わること、およびいくつかの第ＶＩＩＩ因子濃縮物の免疫原性がより強いという可能性があることも、インヒビターが出現することの説明となるかもしれない（バーミレンら、１９９８）。第ＶＩＩＩ因子を調製するための方法が異なることが、その構造、物理化学的特性または本来の微小環境に影響を与えるかもしれない；ラウブら、（１９９９）；ラウトら、（１９９８）。臨床上の関連性を有する抗第ＶＩＩＩ因子の自己抗体は、非血友病患者の間ではまれである（集団における一年間の頻度：１−５／１０６）（モリソンおよびルドラム）（１９９５）。これらは多数の自己免疫疾患と関連性を有し、そして多くの場合、生命に関わる出血を特徴とする。他方、抗第ＶＩＩＩ因子抗体は健康な被験者中でも記載されており（エイルジマン（Ａｌｇｉｍａｎ）ら、１９９２；モロー（Ｍｏｒｅａｕ）ら、２０００）、ここでは、被験者における循環する第ＶＩＩＩ因子のレベルに何らの明白な影響も見られない。
【手続補正２】
【補正対象書類名】明細書
【補正対象項目名】００５９
【補正方法】変更
【補正の内容】
【００５９】
当該エピトープまたはそのプールと結合させることによって第ＶＩＩＩ因子のインヒビターを除去した後で、当該患者に体液（血液または血清もしくは得られる画分）を再注入すること（生体外での治療）も可能である；当該インヒビターは、ヒト患者に適用される透析法に推奨されているのと同様に、体液（血液または血清）から取り除かれる。
【手続補正３】
【補正対象書類名】明細書
【補正対象項目名】００７０
【補正方法】変更
【補正の内容】
【００７０】
血漿画分免疫グロブリン
４，８００人の無給の提供者由来の多量の血漿プールを、徐々にエタノール濃度を高めて沈殿させた後のものから、コーン（Ｃｏｈｎ）画分ＩＩ＋ＩＩＩを得た。この画分は、すべてのＩｇクラスおよびサブクラスを含有する。比濁法によってＩｇＧの組成を測定した。各サブクラスの相対的なパーセントは、ＩｇＧ１、ＩｇＧ２、ＩｇＧ３およびＩｇＧ４についてそれぞれ６３．７；３０．１；３．４および２．８であった（画分ＩＩ＋ＩＩＩの三つの異なるバッチについての平均値）。
【手続補正４】
【補正対象書類名】明細書
【補正対象項目名】００７４
【補正方法】変更
【補正の内容】
【００７４】
アフィニティークロマトグラフィーによるウサギ抗体およびヒト抗体の精製
ウサギ抗体およびヒト抗体を精製するために、製造メーカーの取扱説明書にしたがって、５ｍｇの異なるペプチドをそれぞれ１ｍｌのプレパックのＮＨＳ−活性化セファロース（ファルマシアバイオテック社、ウプサラ、スウェーデン）に結合させた。自動液体クロマトグラフィーシステム（ＡＥＫＴＡｅｘｐｌｏｒｅｒ  １００Ａ、ファルマシア社、ウプサラ、スウェーデン）を用いて、５０ｍｌのウサギ抗血清、またはコーン分画（画分ＩＩ＋ＩＩＩ；１３ｍｇタンパク質／ｍｌ）の後に得られた１００ｍｌのヒト血漿画分のいずれか一方から、特異的な抗ペプチド抗体を精製した。簡単に言えば、５倍の体積のＴＥ緩衝液（２０ｍＭのトリス−塩酸、ｐＨ７．２、１５０ｍＭのＮａＣｌおよび０．０２％のＮａＮ３）に対してサンプルを３回透析し、そして１ｍｌ／分の流速にてカラム上に添加した。２ｍｌ／分にて、５０ｍｌのＴＥ緩衝液および１ＭのＮａＣｌを含有する３０ｍｌのＴＥを用いて、このカラムを順次洗浄した。吸着後に、５ｍｌの０．１Ｍのクエン酸、ｐＨ２．５によって物質を（１ｍｌ／分で）溶出し、そして５ｍｌの１Ｍのトリス−塩酸、ｐＨ９．０中に直接回収した。最後に、サンプルを１０倍の体積の平衡化緩衝液に対して透析し、そしてＣｅｎｔｒｉｐｒｅｐ−３０（アミコン社、ビバリー、マサチューセッツ州）で濃縮した。バイオラッドタンパク質アッセイによって、Ｉｇの回収を測定した。
【手続補正５】
【補正対象書類名】明細書
【補正対象項目名】００８７
【補正方法】変更
【補正の内容】
【００８７】
健康な提供者におけるヒト抗第ＶＩＩＩ因子抗体を免疫精製するための第ＶＩＩＩ因子ペプチドの使用
健康な被験者中に存在するヒト抗第ＶＩＩＩ因子抗体の調製およびキャラクタライゼイションを行うために、我々は、選択された特異的抗ペプチド抗体の存在を示すための免疫グロブリンに富むコーン画分ＩＩ＋ＩＩＩを分析した。適切なペプチド（表２を参照すること）に結合したセファロースにてのアフィニティークロマトグラフィーによって、ヒト抗第ＶＩＩＩ因子−ペプチド抗体（ＨＡＰ１からＨＡＰ１１、ＨＡＰ１６およびＨＡＰ１７）を精製した。典型的な例として、図２に、Ｃ２ドメインで見られる配列である配列番号：３２によって得られたクロマトグラフを示す。表２には、それぞれの第ＶＩＩＩ因子ドメイン（Ａ１、Ａ２、Ａ３、Ｂ、Ｃ１およびＣ２）において選択された１７種のエピトープ配列によって得られた結果が要約されている。用いられた１３種の第ＶＩＩＩ因子ペプチドのそれぞれについて特異的な免疫グロブリンのかなりの量が、出発血漿画分ＩＩ＋ＩＩＩから得られた。得られた精製ヒト抗体の特異性について、血漿第ＶＩＩＩ因子、組み換え第ＶＩＩＩ因子、およびトロンビンによるタンパク質分解後に得られたフラグメントを用いてのイムノブロッティングによって直接テストした（表２を参照すること）。
【手続補正６】
【補正対象書類名】明細書
【補正対象項目名】００９８
【補正方法】変更
【補正の内容】
【００９８】
変性第ＶＩＩＩ因子を用いて免疫精製された自己抗体が、健康な被験者内および正常ヒト免疫グロブリンのプール（画分ＩＩを処理したもの、上記を参照すること）内で報告されている（エイルジマンら、１９９２およびモローら、２０００）。血流からの変性第ＶＩＩＩ因子またはそのフラグメントのクリアランスにおけるおよび／または免疫トレランスにおける、考えられる役割が示唆された。
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
少なくともコアを含むファイバと、
前記ファイバを実質的に包み込んでおりＵＶスペクトルの範囲内で光を吸収する第１の光重合開始剤を含む第１の重合可能な組成物の硬化物である１次のコーティングと、
前記ファイバの前記１次のコーティングを実質的に包み込んでおりＵＶスペクトルの範囲内で光を吸収する第２の光重合開始剤を含む第２の重合可能な組成物の硬化物である２次のコーティングと、を含み、
前記第２の光重合開始剤に対する平均積分強度が略３６０乃至４２０ｎｍの間のＵＶスペクトルの範囲の少なくとも１部において前記第１の光重合開始剤に対する平均積分強度の９５％以下である、ことを特徴とする光ファイバ。
【請求項２】
前記第２の光重合開始剤に対する平均積分強度が前記第１の光重合開始剤に対する平均積分強度の８５％以下である、ことを特徴とする請求項１記載の光ファイバ。
【請求項３】
前記第１の光重合開始剤はビスアシルフォスフィン酸化物を含むことを特徴とする請求項２記載の光ファイバ。
【請求項４】
前記第２の光重合開始剤は略３６０乃至略４１０ｎｍの範囲において略０．００１／μｍよりも大なる平均積分強度を有することを特徴とする請求項２記載の光ファイバ。
【請求項５】
前記第２の光重合開始剤がモノアシルフォスフィン酸化物を含むことを特徴とする請求項４記載の光ファイバ。
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  ポリヌクレオチドをコートしたコア担体であって、該ポリヌクレオチドが少なくとも1つのT細胞受容体（TCR）のコーディング配列を含み、該コーディング配列がin vivoでレシピエント細胞において転写および翻訳されてリフォールドされたTCR分子が提供され得るように制御要素に作動的に連結したコア担体。
【請求項２】  TCR分子がα鎖およびβ鎖を含む請求項１記載のコア担体。
【請求項３】  TCR分子がγ鎖およびδ鎖を含む請求項１記載のコア担体。
【請求項４】  TCR分子を発現するT細胞が自己免疫障害に優先的に関与する請求項１から３のいずれか１項記載のコア担体。
【請求項５】  自己免疫障害が多発性硬化症、乾癬、関節リウマチおよび狼瘡からなる群より選択される請求項４記載のコア担体。
【請求項６】  コア担体が金またはタングステンを含んでなる請求項１から５のいずれか１項記載のコア担体。
【請求項７】  請求項１から６のいずれか１項記載のコア担体および薬学的に許容し得る賦形剤を含む医薬組成物。
【請求項８】  T細胞受容体（TCR）のCDR2超可変領域のコーディング配列を含むポリヌクレオチドでコートされたコア担体であって、該コーディング配列がin vivoでレシピエント細胞において転写および翻訳されてCDR2ペプチドが提供され得るように制御要素に作動的に連結し、該CDR2が自己免疫障害に優先的に関与するT細胞に由来するコア担体。
【請求項９】  担体が金またはタングステンを含んでなる請求項８記載のコア担体。
【請求項１０】  請求項８または９のいずれか１項記載のコートされたコア担体および薬学的に許容し得る賦形剤を含む医薬組成物。
【請求項１１】  CDR1およびCDR3からなる群より選択されるTCR超可変領域のコーディング配列を含有する第2ポリヌクレオチドをさらに含む、請求項８記載のコア担体。
【請求項１２】  担体が金またはタングステンを含んでなる請求項１１記載のコア担体。
【請求項１３】  自己免疫障害が多発性硬化症、乾癬、関節リウマチおよび狼瘡からなる群より選択される、請求項８から１２のいずれか１項記載のコア担体。
【請求項１４】  少なくとも1つのT細胞受容体（TCR）のコーディング配列を含むポリヌクレオチドを含有する固形粒子状医薬組成物であって、該コーディング配列がin vivoでレシピエント細胞において転写および翻訳されてリフォールドされたTCR分子が提供され得るように制御要素に作動的に連結した固形粒子状医薬組成物。
【請求項１５】  TCR分子がα鎖およびβ鎖を含む請求項１４記載の組成物。
【請求項１６】  TCR分子がγ鎖およびδ鎖を含む請求項１４記載の組成物。
【請求項１７】  TCR分子を発現するT細胞が自己免疫障害に優先的に関与する請求項１４から１６のいずれか１項記載の組成物。
【請求項１８】  自己免疫障害が多発性硬化症、乾癬、関節リウマチおよび狼瘡からなる群より選択される請求項１７記載の組成物。
【請求項１９】  組成物が約0.1から250μmの平均粒子直径および約0.1から25g／cm3の範囲の密度を有する粒子の均一集団を含んでなる、請求項１４から１８のいずれか１項記載の組成物。
【請求項２０】  T細胞受容体（TCR）のCDR2超可変領域のコーディング配列を含むポリヌクレオチドを含有する固形粒子状医薬組成物であって、該コーディング配列がin vivoでレシピエント細胞において転写および翻訳されてCDR2ペプチドが提供され得るように制御要素に作動的に連結し、該CDR2が自己免疫障害に優先的に関与するT細胞に由来する固形粒子状医薬組成物。
【請求項２１】  CDR1およびCDR3からなる群より選択されるTCR超可変領域のコーディング配列を含有する第2ポリヌクレオチドをさらに含む、請求項２０記載の組成物。
【請求項２２】  自己免疫障害が多発性硬化症、乾癬、関節リウマチおよび狼瘡からなる群より選択される請求項２０または２１のいずれか１項記載の組成物。
【請求項２３】  組成物が約0.1から250μmの平均粒子直径および約0.1から25g／cm3の範囲の密度を有する粒子の均一集団を含んでなる、請求項２０から２２のいずれか１項記載の組成物。
【請求項２４】  少なくとも1つのT細胞受容体（TCR）のコーディング配列を含み、該コーディング配列がin vivoで被験体のレシピエント細胞において転写および翻訳されてリフォールドされたTCR分子が提供され得るように制御要素に作動的に連結するポリヌクレオチドを含むベクターの、天然形態の該TCRを発現するT細胞に対する交差反応性免疫応答を誘発するための医薬の製造における使用であって、該医薬が該被験体への経皮注入に適する粒子状医薬である使用。
【請求項２５】  約0.5から5μmの名目上のサイズを有する担体粒子が該ベクターでコートされて該粒子状医薬を提供する、請求項２４記載の使用。
【請求項２６】
担体粒子が金またはタングステンを含んでなる請求項２５記載の使用。
【請求項２７】
医薬が固形粒子状医薬組成物である請求項２４記載の使用。
【請求項２８】
該組成物が約0.1から250μmの平均粒子直径および約0.1から25g／cm3の範囲の密度を有する粒子の均一集団を含んでなる、請求項２７記載の使用。
【請求項２９】
T細胞受容体（TCR）のCDR2超可変領域のコーディング配列を含み、該コーディング配列がin vivoで被験体のレシピエント細胞において転写および翻訳されてCDR2ペプチドが提供され得るように制御要素に作動的に連結するポリヌクレオチドを含むベクターの、天然形態の該TCRを発現するT細胞に対する交差反応性免疫応答を誘発するための医薬の製造における使用であって、CDR2が自己免疫障害に優先的に関与するT細胞に由来するものであり、かつさらに、該医薬が該被験体への経皮注入に適する粒子状医薬である使用。
【請求項３０】
約0.5から5μmの名目上のサイズを有する担体粒子が該ベクターでコートされて該粒子状医薬を提供する、請求項２９記載の使用。
【請求項３１】
担体粒子が金またはタングステンを含んでなる請求項３０記載の使用。
【請求項３２】
医薬が固形粒子状医薬組成物である請求項２９記載の使用。
【請求項３３】
該組成物が約0.1から250μmの平均粒子直径および約0.1から25g／cm3の範囲の密度を有する粒子の均一集団を含んでなる、請求項３２記載の使用。
【手続補正書】
【提出日】平成15年8月22日(2003.8.22)
【手続補正１】
【補正対象書類名】明細書
【補正対象項目名】発明の名称
【補正方法】変更
【補正の内容】
【発明の名称】（メタ）アクリル酸の精製方法及びその製造装置
【手続補正２】
【補正対象書類名】明細書
【補正対象項目名】００１５
【補正方法】変更
【補正の内容】
【００１５】
これらの目的は、請求項１に記載の態様の方法、請求項１０に記載の態様の装置、及び、請求項１５又は１６に記載の態様の使用によって達成される。さらに好適な実施態様及び展開が関連の従属クレームに開示されているが、それらはそれぞれ独立して採用することもできるし、また、任意に互いに組み合わせて使用することもできる。
【手続補正３】
【補正対象書類名】明細書
【補正対象項目名】００７５
【補正方法】変更
【補正の内容】
【００７５】
本発明はさらに、前述の請求項１３に従う本発明による（メタ）アクリル酸を、繊維、成形物品、フィルム、フォーム、高吸収性ポリマー又は衛生用品の製造における、又は製造のための使用に関する。
【手続補正４】
【補正対象書類名】特許請求の範囲
【補正対象項目名】全文
【補正方法】変更
【補正の内容】
【特許請求の範囲】
【請求項１】
以下の工程を含む処理段階におけるアクリル酸の精製方法であって：
ａ）アクリル酸を母液から晶出させる工程；
ｂ）晶出したアクリル酸を母液から分離する工程；
ｃ）分離したアクリル酸結晶の少なくとも一部を溶融させる工程；及び、
ｄ）溶融した部分を少なくとも部分的に工程ａ）又は工程ｂ）に再循環させる工程、
を含むことを特徴とする精製方法。
【請求項２】
以下の工程を含む処理段階におけるメタクリル酸の精製方法であって：
ａ）メタクリル酸を母液から晶出させる工程；
ｂ）晶出したメタクリル酸を母液から分離する工程；
ｃ）分離したメタクリル酸結晶の少なくとも一部を溶融させる工程；及び、
ｄ）溶融した部分を少なくとも部分的に工程ａ）又は工程ｂ）に再循環させる工程
を含み、工程ａ）で使用されるメタクリル酸が実質的に無水であることを特徴とする精製方法。
【請求項３】
以下の工程を含む処理段階におけるメタクリル酸の精製方法であって：
ａ）メタクリル酸を母液から晶出させる工程；
ｂ）晶出したメタクリル酸を母液から分離する工程；
ｃ）分離したメタクリル酸結晶の少なくとも一部を溶融させる工程；及び、
ｄ）溶融した部分を少なくとも部分的に工程ａ）又は工程ｂ）に再循環させる工程
を含み、工程ａ）で使用されるメタクリル酸がイソ酪酸を１００ｐｐｍ未満の量で含むことを特徴とする精製方法。
【請求項４】
前記晶出した（メタ）アクリル酸が、再循環された（メタ）アクリル酸を用いて向流で洗浄されることを特徴とする請求項１、２又は３に記載の精製方法。
【請求項５】
前記分離した（メタ）アクリル酸が、さらに別の精製処理で精製されることを特徴とする請求項１〜４のいずれか１項に記載の精製方法。
【請求項６】
工程ｂ）からの、前記分離し晶出した（メタ）アクリル酸が少なくとも部分的に工程ａ）に供給されることを特徴とする請求項１〜５のいずれか１項に記載の精製方法。
【請求項７】
工程ｂ）の後で分離される前記母液が少なくとも部分的に工程ａ）に再循環されることを特徴とする請求項１〜６のいずれか１項に記載の精製方法。
【請求項８】
前記工程ａ）〜ｄ）を含み且つ以下の（α１）〜（α４）の態様：
（α１）第１の処理段階から分離した（メタ）アクリル酸が少なくとも部分的に第２の処理段階に供給される態様；
（α２）第２の処理段階から分離した（メタ）アクリル酸が少なくとも部分的に第１の処理段階に供給される態様；
（α３）第１の処理段階からの母液が少なくとも部分的に第２の処理段階に供給される態様；
（α４）第２の処理段階からの母液が少なくとも部分的に第１の処理段階に供給される態様、
の少なくとも１つを満たす処理段階を少なくとも２つ有すること特徴とする請求項１〜７のいずれか１項に記載の精製方法。
【請求項９】
（γ１）（メタ）アクリル酸の製造方法から供給される未精製の粗（メタ）アクリル酸の流れからの（メタ）アクリル酸の晶出；
（γ２）洗浄カラムを用いての母液からの（メタ）アクリル酸結晶の分離
を特徴とし、ここで工程（γ２）からの母液を、少なくとも部分的に工程（γ１）に再循環させ、粗（メタ）アクリル酸流れの純度が（メタ）アクリル酸９９．５重量％未満であることを特徴とする請求項１〜８のいずれか１項に記載の精製方法。
【請求項１０】
相互に接続された流体移動機器として、（メタ）アクリル酸反応器、冷却塔、蒸留装置及び精製装置を含む（メタ）アクリル酸の製造装置であって、前記精製装置が以下の（δ１）〜（δ４）の態様：
（δ１）装置ユニットが晶出領域、分離領域、溶融器及び少なくとも３本の供給ラインを有する態様；
（δ２）前記晶出領域が第１の供給ラインによって分離領域に接続されている態様；
（δ３）前記分離領域が第２の供給ラインを介して前記溶融器に接続されている態様；
（δ４）前記溶融器が第３の供給ラインを介して前記晶出領域に接続されるか、又は第４の供給ラインを介して前記分離領域に接続されている態様、
を含む装置ユニットを有することを特徴とする（メタ）アクリル酸の製造装置。
【請求項１１】
前記装置ユニットが別の精製装置を含むことを特徴とする請求項１０に記載の製造装置。
【請求項１２】
前記分離領域が、分離した（メタ）アクリル酸のための第１の再循環ラインによって、晶出領域と接続されていることを特徴とする請求項１０又は１１に記載の製造装置。
【請求項１３】
前記分離領域が、分離した母液のための第２の再循環ラインによって、晶出領域と接続されていることを特徴とする請求項１０〜１２のいずれか１項に記載の製造装置。
【請求項１４】
少なくとも１つの接続ラインで接続される前記態様（δ１）〜（δ４）に従う少なくとも２つの装置ユニットを備え、前記接続ラインが流入又は再循環ラインであり、以下の（ε１）〜（ε４）の態様：
（ε１）第１の装置ユニットの分離領域が、第２の装置ユニットの晶出領域に、接続ラインを介して接続されている態様；
（ε２）第１の装置ユニットの溶融器が、第２の装置ユニットの晶出領域に、接続ラインを介して接続されている態様；
（ε３）第２の装置ユニットの分離領域が、第１の装置ユニットの晶出領域に、接続ラインを介して接続されている態様；
（ε４）第２の装置ユニットの溶融器が、第１の装置ユニットの晶出領域に、接続ラインを介して接続されている態様、
のうちの少なくとも１つを満たすことを特徴とする請求項１０〜１３のいずれか１項に記載の製造装置。
【請求項１５】
製造する（メタ）アクリル酸の純度が９０重量％を超えることを特徴とする請求項１０〜１４のいずれか１項に記載の製造装置。
【請求項１６】
精製する（メタ）アクリル酸の純度が９０重量％を超えることを特徴とする請求項１〜９のいずれか１項に記載の精製方法。